(57)【特許請求の範囲】
【請求項１】
バルブが固着されたエアゾール容器と、
前記エアゾール容器内部に充填されるエアゾール組成物と、
前記バルブに装着され、噴射ボタンが押下されると前記エアゾール容器内の前記エアゾール組成物を細かい霧状の噴霧にして噴射する噴射装置と、
前記噴射ボタンの押下に連動する起動手段を有し、前記噴射に連動して起動され前記噴霧を誘導帯電させる誘導帯電装置とを備えたエアゾール製品であって、
前記噴射装置及び前記誘導帯電装置は、噴射帯電モジュールとしてモジュール化されることにより、前記エアゾール容器に対して一体的に着脱可能に構成されており、
前記噴射帯電モジュールは、前記エアゾール容器に取り付けられた状態であるか取り外された状態であるかを、前記エアゾール容器に接触しているか否かによって検出する検出部と、該エアゾール容器から取り外された状態になると、前記噴射ボタンの操作に伴う誘導帯電装置の起動を防止するように構成された起動防止部とを備えたエアゾール製品。
【請求項２】
前記起動防止部は、前記噴射ボタン及び前記起動手段の機械的な連動を許可する連動許可状態及び連動を禁止する連動禁止状態を切り替えるように構成されており、
前記噴射帯電モジュールは、前記検出部により前記取り付けられた状態であることを検出すると前記起動防止部により前記連動許可状態に切り替え、前記検出部により前記取り外された状態であることを検出すると前記起動防止部により前記連動禁止状態に切り替えるように構成された請求項１記載のエアゾール製品。
【請求項３】
前記起動防止部は、前記噴射ボタンの押下を許可する押下許可状態及び押下を禁止する押下禁止状態を切り替えるように構成されており、
前記噴射帯電モジュールは、前記検出部により前記取り付けられた状態であることを検出すると前記起動防止部により前記押下許可状態に切り替え、前記検出部により前記取り外された状態であることを検出すると前記起動防止部により前記押下禁止状態に切り替えるように構成された請求項１記載のエアゾール製品。
【請求項４】
前記起動防止部は、前記誘導帯電装置の電気的な起動を許可する起動許可状態及び起動を禁止する起動禁止状態を切り替えるように構成されており、
前記噴射帯電モジュールは、前記検出部により前記取り付けられた状態であることを検出すると前記起動防止部により前記起動許可状態に切り替え、前記検出部により前記取り外された状態であることを検出すると前記起動防止部により前記起動禁止状態に切り替えるように構成された請求項１記載のエアゾール製品。
【発明の詳細な説明】
【技術分野】
【０００１】
本発明は、エアゾール容器に充填されたエアゾール組成物を細かい霧状の噴霧にして噴射するとともに、この噴霧を誘導帯電させることができるエアゾール製品に関するものである。
【背景技術】
【０００２】
背景技術としては、特許文献１に記載された静電帯電エアゾール噴霧システムを例示する。この噴霧システムは、エアゾール噴霧を電気的に帯電するためのものである。図１７に示すように、この噴霧システムのアクチュエータ１２０は、霧化した流体に電荷を誘導するため、噴霧ノズル１１８に隣接した位置にインダクタ１３４を有する。インダクタ１３４への電荷は、作動部材１２６の動きによって応力が与えられる圧電結晶１４６によって供給される。インダクタ１３４の帯電は無視できるほどの電力を使用するので、他の電源は必要としない。圧電結晶１４６には圧迫などのように連続して、または、打撃などのように断続して、応力を与えることができる。断続した応力を与える場合、電気回路は結晶とインダクタ１３４の間にスイッチを含み、これはバルブが開いている時にあき、噴霧の間インダクタ１３４を電気的に分離する。
【先行技術文献】
【特許文献】
【０００３】
【特許文献１】特表平９−５０４７３５号公報
【発明の概要】
【発明が解決しようとする課題】
【０００４】
ところが、例えば空になった容器１１２を交換するとき等に、容器１１２からアクチュエータ１２０を取り外しておいた際に、ユーザの不注意等によりインダクタ１３４に身体が触れた状態で作動部材１２６を押し下げてしまうと、感電するという課題がある。この課題は、インダクタ１３４へ電力を供給するための電源として、圧電結晶１４６に代えて電池を採用した場合にも同様に発生する。しかも、電池を使用する場合は、その電池を交換する際にも、同様にユーザが感電する可能性がある。
【課題を解決するための手段】
【０００５】
上記課題を解決するために、本発明のエアゾール製品は、
バルブが固着されたエアゾール容器と、
前記エアゾール容器内部に充填されるエアゾール組成物と、
前記バルブに装着され、噴射ボタンが押下されると前記エアゾール容器内の前記エアゾール組成物を細かい霧状の噴霧にして噴射する噴射装置と、
前記噴射ボタンの押下に連動する起動手段を有し、前記噴射に連動して起動され前記噴霧を誘導帯電させる誘導帯電装置とを備えたエアゾール製品であって、
前記噴射装置及び前記誘導帯電装置は、噴射帯電モジュールとしてモジュール化されることにより、前記エアゾール容器に対して一体的に着脱可能に構成されており、
前記噴射帯電モジュールは、前記エアゾール容器に取り付けられた状態であるか取り外された状態であるかを、前記エアゾール容器に接触しているか否かによって検出する検出部と、該エアゾール容器から取り外された状態になると、前記噴射ボタンの操作に伴う誘導帯電装置の起動を防止するように構成された起動防止部とを備えている。
【０００６】
この構成によれば、前記噴射装置及び前記誘導帯電装置が前記噴射帯電モジュールとしてモジュール化されているので、前記噴射装置及び前記誘導帯電装置を前記エアゾール容器に対して一体的に着脱でき、例えばエアゾール組成物を使い切ったとき等にエアゾール容器を簡単に交換できる。また、前記噴射帯電モジュールが前記エアゾール容器から取り外された状態では、前記検出部及び前記起動防止部により、前記噴射ボタンの操作に伴う誘導帯電装置の起動が防止されるので、ユーザの感電を防止することができる。
【０００７】
前記エアゾール製品としては、特に限定されないが、次の態様を例示する。
【０００８】
（１）前記起動防止部は、前記噴射ボタン及び前記起動手段の機械的な連動を許可する連動許可状態及び連動を禁止する連動禁止状態を切り替えるように構成されており、
前記噴射帯電モジュールは、前記検出部により前記取り付けられた状態であることを検出すると前記起動防止部により前記連動許可状態に切り替え、前記検出部により前記取り外された状態であることを検出すると前記起動防止部により前記連動禁止状態に切り替えるように構成された態様。
【０００９】
（２）前記起動防止部は、前記噴射ボタンの押下を許可する押下許可状態及び押下を禁止する押下禁止状態を切り替えるように構成されており、
前記噴射帯電モジュールは、前記検出部により前記取り付けられた状態であることを検出すると前記起動防止部により前記押下許可状態に切り替え、前記検出部により前記取り外された状態であることを検出すると前記起動防止部により前記押下禁止状態に切り替えるように構成された態様。
【００１０】
（３）前記起動防止部は、前記誘導帯電装置の電気的な起動を許可する起動許可状態及び起動を禁止する起動禁止状態を切り替えるように構成されており、
前記噴射帯電モジュールは、前記検出部により前記取り付けられた状態であることを検出すると前記起動防止部により前記起動許可状態に切り替え、前記検出部により前記取り外された状態であることを検出すると前記起動防止部により前記起動禁止状態に切り替えるように構成された態様。
【発明の効果】
【００１１】
本発明に係るエアゾール製品によれば、エアゾール容器を簡単に交換できるとともに、該交換時におけるユーザの感電を防止することができるという優れた効果を奏する。
【図面の簡単な説明】
【００１２】
【図１】本発明を具体化した第一実施形態に係るエアゾール製品を前方から見た斜視図である。
【図２】同エアゾール製品を後方から見た分解斜視図である。
【図３】同エアゾール製品の正面図である。
【図４】同エアゾール製品の平面図である。
【図５】図３のＶ−Ｖ線断面図であり、（ａ）は噴射帯電モジュールをエアゾール容器に取り付けた状態、（ｂ）は噴射帯電モジュールをエアゾール容器から取り外した状態をそれぞれ示している。
【図６】同エアゾール製品の電気回路の構成を示すブロック図である。
【図７】本発明を具体化した第二実施形態に係るエアゾール製品を後方から見た分解斜視図である。
【図８】同エアゾール製品の噴射帯電モジュールの分解斜視図である。
【図９】図７のＩＸ−ＩＸ線断面図であり、（ａ）は噴射帯電モジュールをエアゾール容器に取り付けた状態、（ｂ）は噴射帯電モジュールをエアゾール容器から取り外した状態をそれぞれ示している。
【図１０】本発明を具体化した第三実施形態に係るエアゾール製品を後方から見た分解斜視図である。
【図１１】図１０のＸＩ−ＸＩ線断面図であり、（ａ）は噴射帯電モジュールをエアゾール容器に取り付けた状態、（ｂ）は噴射帯電モジュールをエアゾール容器から取り外した状態をそれぞれ示している。
【図１２】同エアゾール製品の電気回路の構成を示すブロック図である。
【図１３】本発明を具体化した第四実施形態に係るエアゾール製品を後方から見た分解斜視図である。
【図１４】図１３のＸＩＶ−ＸＩＶ線断面図であり、（ａ）は噴射帯電モジュールをエアゾール容器に取り付けた状態、（ｂ）は噴射帯電モジュールをエアゾール容器から取り外した状態をそれぞれ示している。
【図１５】本発明の噴射帯電モジュールの変更例を示す斜視図である。
【図１６】同噴射帯電モジュールの別の変更例を示す斜視図である。
【図１７】従来の静電帯電エアゾール噴霧システムの全体的な概略図である。
【発明を実施するための形態】
【００１３】
図１〜図６は本発明を具体化した第一実施形態のエアゾール製品１を示している。このエアゾール製品１は、図１〜図５に示すように、バルブ２１が固着されたエアゾール容器２と、エアゾール容器２内部に充填されるエアゾール組成物と、バルブ２１に装着され、噴射ボタン２０が押下されるとエアゾール容器２内の前記エアゾール組成物を細かい霧状の噴霧にして噴射する噴射装置１７と、噴射ボタン２０の押下に連動する起動手段としての起動スイッチ４を有し、前記噴射に連動して起動され前記噴霧を誘導帯電させる誘導帯電装置１８とを備えている。噴射装置１７及び誘導帯電装置１８は、噴射帯電モジュール１９としてモジュール化されることにより、エアゾール容器２に対して一体的に着脱可能に構成されている。
【００１４】
エアゾール容器２は、耐圧性を有する有底筒状に形成されたものであり、公知の構成のものを適宜採用できる。本例のエアゾール容器２は、有底筒状の胴部２ａを備えるとともに、該胴部２ａの上端にビード２ｂが形成されており、ビード２ｂにはステム２１ａを有するバルブ２１がクリンプされている。そして、バルブ２１のステム２１ａが押し下げられると、バルブ２１が開放され、エアゾール容器２の内部に充填されたエアゾール組成物がステム２１ａから外部に噴射されるように構成されている。エアゾール容器２の材質としては、内部のエアゾール組成物を誘導帯電装置１８のアース電位にすることを容易にするために、導電性を有するもの（導電性の金属等）にすることが好ましい。
【００１５】
エアゾール組成物は、原液と噴射剤とからなっている。原液としては、特に限定されないが、殺虫成分、害虫忌避成分、消臭成分、芳香成分、殺菌・消毒成分、洗浄成分、ペイント成分、防錆成分、潤滑成分などの空間、カーテン、ガラス、衣類、壁、機械類などに家庭用や工業用として使用される有効成分や、制汗成分、殺菌・消毒成分、消炎鎮痛成分、鎮痒成分、保湿成分、害虫忌避成分、芳香成分などの皮膚に使用される有効成分や、スタイリング成分、トリートメント成分、カラーリング成分、保湿成分、芳香成分などの頭髪に使用される有効成分などを配合したものを例示する。噴射剤としては、特に限定されないが、液化石油ガス、ジメチルエーテル、フロン類などの液化ガス、チッ素ガス、炭酸ガス、亜酸化チッ素ガス、圧縮空気などの圧縮ガス、さらには前記液化ガスと圧縮ガスの混合物などを例示する。これらの原液及び噴射剤は、用途や目的などに応じて適宜選択される。なお、帯電させやすく、帯電による効果が得られやすい点から霧状で噴射しうるエアゾール組成物が好ましい。
【００１６】
噴射帯電モジュール１９は、ベース３と、該ベース３に被せられるキャップ６とを有するとともに、これらの内部に装備された噴射装置１７と誘導帯電装置１８を備えている。
【００１７】
ベース３は、略円盤状に形成されたベース本体２５と、その略中央に貫設された貫通孔２６と、該貫通孔２６の後側に設けられたベースヒンジ２７と、底面における貫通孔２６及びベースヒンジ２７の周囲に設けられ、エアゾール容器２の上部（ビード２ｂ等）に係脱自在に係合するベース係合部２８と備えている。本例のベースヒンジ２７は、ヒンジ本体２７ａと、該ヒンジ本体２７ａをベース本体２５に連結する可撓部２７ｂとを備えており、図５（ｂ）に示すように外部から力が加わっていない状態ではヒンジ本体２７ａが斜め下方に傾斜しているが、図５（ａ）に示すようにベース３がエアゾール容器２に取り付けられた状態では可撓部２７ｂが変形することによりヒンジ本体２７ａがビード２ｂに押し上げられ、略水平に位置するように形成されている。
【００１８】
噴射装置１７は、ベース３の貫通孔２６に下部が挿入され、エアゾール容器２のステム２１ａに装着され、エアゾール組成物を噴射する噴射口５ａを有する噴射部材５と、該噴射部材５の上部に前後方向の中央部が左右方向に延びる軸２２で揺動自在に軸支されるとともに、キャップ６の天井部に前端部が左右方向に延びる軸２３で揺動自在に軸支されたノズルレバー７とを備えている。噴射ボタン２０の後部には、該噴射ボタン２０の押下に連動して起動スイッチ４を押下するための連動押下部５ｂが突設されている。本例では、これらのうちの噴射部材５及びノズルレバー７が噴射ボタン２０を構成している。そして、ノズルレバー７を押し下げると、噴射部材５とともにステム２１ａが押し下げられてエアゾール組成物がステム２１ａ、噴射部材５を介して外部に噴射されると同時に起動スイッチ４が押下されるようになっている。
【００１９】
誘導帯電装置１８は、図６に示すように、電源としての電池１４と、該電池１４に接続された起動スイッチ４と、該起動スイッチ４を介して接続された電池１４により駆動される高電圧発生装置１３と、該高電圧発生装置１３の出力側に接続された電極８と、該高電圧発生装置１３に接続された電池残量表示手段としての電池残量表示ＬＥＤ１５とを備えており、高電圧発生装置１３のアース側は金属製のエアゾール容器２に接続されている（図示略）。本例の電極８は環状に形成されており、その上部には該電極８をベース３に立設された電極支持柱１６の上端に前後位置調節可能に取り付けるための電極取付部８ａが一体的に形成されている。起動スイッチ４は、ベースヒンジ２７の上に取り付けられている。図５（ａ）に示すようにベース３がエアゾール容器２に取り付けられた状態では、ベースヒンジ２７はエアゾール容器２のビード２ｂに接触して押し上げられた水平姿勢になることにより、起動スイッチ４が噴射ボタン２０の連動押下部５ｂの下方に位置した連動許可状態となり、該噴射ボタン２０の押下に伴って連動押下部５ｂが起動スイッチ４を押下するように構成されている。また、図５（ｂ）に示すようにベース３がエアゾール容器２から取り外された状態では、ベースヒンジは下方に傾斜した傾斜姿勢になることにより、起動スイッチ４のボタンが連動押下部５ｂの下方から退避した連動禁止状態になり、噴射ボタン２０が押下されても連動押下部５ｂが起動スイッチ４のボタンを押下しないように構成されている。このように本例のベースヒンジ２７は、エアゾール容器２に取り付けられた状態であるか取り外された状態であるかを、エアゾール容器２に接触しているか否かによる姿勢の変化により検出する検出部の機能と、噴射ボタン２０及び起動スイッチ４の連動を許可する連動許可状態及び連動を禁止する連動禁止状態を切り替える起動防止部との両方の機能を兼ねた構成となっている。
【００２０】
キャップ６は、ノズルレバー７の後端部と、電池残量表示ＬＥＤ１５と、噴射部材５の噴射口５ａとをそれぞれ外部に露出させる開口が設けられているとともに、ベース３の周縁部に係脱自在に係合するキャップ係合部６ａを備えている。キャップ係合部６ａ及びベース３の係合は、ベース係合部２８及びバルブ装着部分の係合並びに噴射部材５及びステム２１ａの係合と比較して相対的に強く係合するように構成されており、ユーザがキャップ６を持って、それをエアゾール容器２の上方に引き上げると、ベース係合部２８及びバルブ装着部分の係合並びに噴射部材５及びステム２１ａの係合が外れ、噴射帯電モジュール１９が、エアゾール容器２に対して一体的に取り外せるようになっている。また、この逆を行うことにより、噴射帯電モジュール１９をエアゾール容器２に対して一体的に取り付けることができるようになっている。
【００２１】
以上のように構成された本例のエアゾール製品１によれば、噴射装置１７及び誘導帯電装置１８が噴射帯電モジュール１９としてモジュール化されているので、噴射装置１７及び誘導帯電装置１８をエアゾール容器２に対して一体的に着脱でき、例えばエアゾール組成物を使い切ったとき等にエアゾール容器２を簡単に交換できる。また、噴射帯電モジュール１９がエアゾール容器２から取り外された状態では、前記検出部及び前記起動防止部により、噴射ボタン２０の操作に伴う誘導帯電装置１８の起動が防止されるので、ユーザの感電を防止することができる。
【００２２】
次に、図７〜図９は本発明を具体化した第二実施形態を示している。このエアゾール製品１は、以下に示す点において、主に第一実施形態と相違している。従って、同実施形態と共通する部分については、同一符号を付することにより重複説明を省く。
【００２３】
本例のベース３は、ベースヒンジ２７を備えておらず、起動スイッチ４は、第一実施形態における連動許可状態に相当する位置に固定されている。
【００２４】
本例の検出部は、ベース本体２５を上下に貫通するガイド縦孔３０と、該ガイド縦孔３０にスライド自在に挿入された検出ピン１１と、ベース本体２５の底面側及び検出ピン１１の間に介装され、該検出ピン１１を下方に付勢する付勢手段としてのスプリング１２とを備えている。検出ピン１１の上部には、該検出ピン１１のガイド縦孔３０からの抜けを防止する上部抜け止め部１１ａが設けられており、下部には、該検出ピン１１からのスプリング１２の抜けを防止するとともに、検出ピン１１の上方への所定長以上のスライドを規制する下部抜止め部１１ｂが設けられている。検出ピン１１の上端部１１ｃは二股に形成されている。この検出部は、図９（ｂ）に示すように噴射帯電モジュール１９がエアゾール容器２から取り外された状態ではスプリング１２により検出ピン１１が下方にスライドした位置となっているが、図９（ａ）に示すように噴射帯電モジュール１９がエアゾール容器２に取り付けられた状態になると検出ピン１１の下端がエアゾール容器２に接触することにより上方にスライドした位置になるように構成されている。
【００２５】
起動防止部は、キャップ６の内周面に形成されたガイド横孔３２と、該ガイド横孔３２に基端部がスライド自在に挿入されるとともに、噴射部材５の側面に設けられたロック孔５ｃに先端部が挿脱自在なロックピン９と、ガイド横孔３２及びロックピン９の間に介装され、該ロックピン９の先端部がロック孔５ｃに進入する方向に付勢する付勢手段としてのスプリング１０とを備えている。ロックピン９は、その長さ方向の途中部に該ロックピン９からのスプリング１０の抜けを防止する抜止め部９ａが設けられるとともに、該抜け止め部よりもロックピン９の先端側（反ガイド横孔側）には、検出ピン１１の上端部により駆動される被駆動凸部９ｂが突設されている。ロックピン９の先端部は、検出ピン１１の上端部１１ｃの二股の間に配設されている。検出ピン１１における被駆動凸部９ｂへの対峙面は、上端側になるほどロックピン９の先端側になるように形成された傾斜面となっている。このため、図９（ｂ）に示すように噴射帯電モジュール１９がエアゾール容器２から取り外された状態では、検出ピン１１が下方にスライドした位置になり、被駆動凸部９ｂを介してロックピン９の先端部が噴射部材５のロック孔５ｃに進入するように駆動され、噴射部材５が上下動しないようにロックされる（押下禁止状態）。この一方、図９（ａ）に示すように噴射帯電モジュール１９がエアゾール容器２に取り付けられた状態では、検出ピン１１が上方にスライドした位置になり、被駆動凸部９ｂを介してロックピン９の先端部が噴射部材５のロック孔５ｃから脱出するように駆動され、噴射部材５のロックが解除される（押下許可状態）。
【００２６】
以上のように、本例のエアゾール製品１においては、前記起動防止部は、噴射ボタン２０の押下を許可する押下許可状態及び押下を禁止する押下禁止状態を切り替えるように構成されており、噴射帯電モジュール１９は、前記検出部により前記取り付けられた状態であることを検出すると前記起動防止部により前記押下許可状態に切り替え、前記検出部により前記取り外された状態であることを検出すると前記起動防止部により前記押下禁止状態に切り替えるように構成されている。そして、本例の構成によっても、第一実施形態と同様の効果を得ることができる。
【００２７】
次に、図１０〜図１２は本発明を具体化した第三実施形態を示している。このエアゾール製品１は、以下に示す点において、主に第一実施形態と相違している。従って、同実施形態と共通する部分については、同一符号を付することにより重複説明を省く。
【００２８】
本例の起動スイッチ４は、ベースヒンジ２７の上方において、第一実施形態における連動許可状態に相当する位置に固定されている。
【００２９】
本例の検出部は、第一実施形態と同様に構成されたベースヒンジ２７を備えている。すなわち、本例のベースヒンジ２７も、外部から力が加わっていない状態ではヒンジ本体２７ａが斜め下方に傾斜しているが、ベース３がエアゾール容器２に取り付けられた状態では、可撓部２７ｂが変形することによりヒンジ本体２７ａがビード２ｂに押し上げられ、略水平に位置するように形成されている。
【００３０】
本例の起動防止部は、図１２に示すように起動スイッチ４と直列に接続されており、プッシュボタン３４ａがヒンジ本体２７ａの上面に対峙するように配設された起動許可スイッチ３４を備えている。このため、図１１（ｂ）に示すように噴射帯電モジュール１９がエアゾール容器２から取り外された状態では、ベースヒンジ２７が傾斜した状態になり、起動許可スイッチ３４が押下されない（起動禁止状態）。この一方、図１１（ａ）に示すように噴射帯電モジュール１９がエアゾール容器２に取り付けられた状態では、ベースヒンジ２７が水平な状態になることにより、ヒンジ本体２７ａにより起動許可スイッチ３４が押下される（起動許可状態）。
【００３１】
以上のように、本例のエアゾール製品１においては、前記起動防止部は、誘導帯電装置１８の電気的な起動を許可する起動許可状態及び起動を禁止する起動禁止状態を切り替えるように構成されており、噴射帯電モジュール１９は、前記検出部により前記取り付けられた状態であることを検出すると前記起動防止部により前記起動許可状態に切り替え、前記検出部により前記取り外された状態であることを検出すると前記起動防止部により前記起動禁止状態に切り替えるように構成されている。そして、本例の構成によっても、第一実施形態と同様の効果を得ることができる。
【００３２】
次に、図１３〜図１４は本発明を具体化した第四実施形態を示している。このエアゾール製品１は、以下に示す点において、主に第三実施形態と相違している。従って、同実施形態と共通する部分については、同一符号を付することにより重複説明を省く。
【００３３】
本例では、起動許可スイッチ３４が検出部及び起動防止部の両方の機能を兼ねた構成となっている。すなわち、本例では、ベースヒンジ２７を省くとともに、該ベースヒンジ２７が設けられていた位置に貫通窓３５を設け、該貫通窓３５を介して起動許可スイッチ３４のプッシュボタン３４ａがエアゾール容器２のビード２ｂの上面に対峙する位置となるように、起動許可スイッチ３４を配設している。そして、図１４（ｂ）に示すように噴射帯電モジュール１９がエアゾール容器２から取り外された状態では、起動許可スイッチ３４が押下されない（起動禁止状態）。この一方、図１４（ａ）に示すように噴射帯電モジュール１９がエアゾール容器２に取り付けられた状態では、ビード２ｂにより起動許可スイッチ３４が押下される（起動許可状態）。
【００３４】
本例のエアゾール製品１によっても、第三実施形態と同様の効果を得ることができる。
【００３５】
なお、本発明は前記実施形態に限定されるものではなく、例えば以下のように、発明の趣旨から逸脱しない範囲で適宜変更して具体化することもできる。
（１）図１５に示すように、電極支持柱１６の高さを高く形成するとともに、電極取付部８ａにおける下垂部位の下垂長さを長く形成することにより、電極８から高電圧発生装置１３までの沿面距離を確保するとともに、電極８や電極取付部８ａの表面に付着した液滴が重力で下方に流れ易くすることにより、該液滴の連続膜が高電圧発生装置側へ成長することを防止すること。これらにより、漏電の発生を防止する。
（２）図１６に示すように、電極支持柱１６を省き、電極取付部８ａの先端部を高電圧発生装置１３の高電圧出力端子に直接接続することにより、構造を簡単化すること。
（３）ノズルレバー７を省くことにより、噴射ボタン２０を噴射部材５だけで構成すること。
【符号の説明】
【００３６】
１    エアゾール製品
２    エアゾール容器
２ａ  胴部
２ｂ  ビード
３    ベース
４    起動スイッチ
５    噴射部材
５ａ  噴射口
５ｂ  連動押下部
５ｃ  ロック孔
６    キャップ
６ａ  キャップ係合部
７    ノズルレバー
８    電極
８ａ  電極取付部
９    ロックピン
９ａ  抜止め部
９ｂ  被駆動凸部
１０    スプリング
１１    検出ピン
１１ａ  上部抜止め部
１１ｂ  下部抜止め部
１１ｃ  上端部
１２    スプリング
１３    高電圧発生装置
１４    電池
１５    電池残量表示ＬＥＤ
１６    電極支持柱
１７    噴射装置
１８    誘導帯電装置
１９    噴射帯電モジュール
２０    噴射ボタン
２１    バルブ
２１ａ  ステム
２２    軸
２３    軸
２５    ベース本体
２６    貫通孔
２７    ベースヒンジ
２７ａ  ヒンジ本体
２７ｂ  可撓部
２８    ベース係合部
３０    ガイド縦孔
３２    ガイド横孔
３４    起動許可スイッチ
３４ａ  プッシュボタン
３５    貫通窓
【図１】
0005505111.tif 000002
【図２】
0005505111.tif 000003
【図３】
0005505111.tif 000004
【図４】
0005505111.tif 000005
【図５】
0005505111.tif 000006
【図６】
0005505111.tif 000007
【図７】
0005505111.tif 000008
【図８】
0005505111.tif 000009
【図９】
0005505111.tif 000010
【図１０】
0005505111.tif 000011
【図１１】
0005505111.tif 000012
【図１２】
0005505111.tif 000013
【図１３】
0005505111.tif 000014
【図１４】
0005505111.tif 000015
【図１５】
0005505111.tif 000016
【図１６】
0005505111.tif 000017
【図１７】
0005505111.tif 000018